(57)【特許請求の範囲】
【請求項１】
床面に設置されるコラム部に着脱自在であって、被検体を載置するためのテーブルトップを備えた分離式手術台において、前記コラム部は、駆動手段を備えるとともに、前記テーブルトップは、前記駆動手段の駆動力を２系統に分配する分配機構と、分配された２系統の駆動力のいずれか一方のみを選択的に切り換えて伝達する駆動力選択機構とを内蔵して前記コラム部に着脱可能な基台部と、前記駆動力選択機構からの一方の駆動力により前記基台部に対して水平駆動される可動台と、前記駆動力選択機構からの他方の駆動力により前記可動台の端部にて起倒駆動される起倒部と、を備えたことを特徴とする分離式手術台。
【発明の詳細な説明】
【０００１】
【産業上の利用分野】
この発明は、床面に設置されるコラム部に着脱自在であって、被検体を載置するためのテーブルトップを備えた分離式手術台に係り、特に、載置した被検体を水平移動可能であって、術式などに応じて被検体の体位を調節可能な分離式手術台に関する。
【０００２】
【従来の技術】
従来のこの種の分離式手術台として、例えば、図５に示すようなものがある。図５は従来例に係る分離式手術台の側面図であり、符号１は、床面に設置されるコラム部である。コラム部１は、基部２と、上下方向に伸縮自在であって基部２に立設された支柱３と、被検体を載置するテーブルトップ１０と結合する、支柱３に配設された結合部４とから構成されている。
【０００３】
テーブルトップ１０は、コラム部１の結合部４に着脱自在の基台部１１と、基台部１１に対して水平移動可能な可動台１２と、可動台１２の一端部にて起倒駆動される背板部１３と、背板部１３の先端部に角度調整可能に配設されたヘッドレストおよび可動台１２の他端部にて角度調整可能に配設された足板部とから構成されている。
【０００４】
基台部１１には、その下面に接続ピン１６が配設されており、この接続ピン１６をコラム部１の結合部４に嵌め込むことによって、テーブルトップ１０とコラム部１とが結合されるようになっている。さらに、基台部１１の下面には、テーブルトップ１０を移載する際に用いる移載ピン１７が配設されている。
【０００５】
このように構成された分離式手術台においては、基台部１１に内蔵された水平駆動用モータを駆動することによって、可動台１２を基台部１１に対して水平移動させることができるとともに、基台部１１に内蔵された起倒動作用の電動シリンダを駆動することにより、背板部１３を起倒動作させることができるように構成されている。なお、水平駆動用モータへの電力供給は、コラム部１の結合部４と基台部１１の双方に備えられたコネクタを介して行われ、起倒動作用の電動シリンダへの電力供給は、コラム部１の結合部４と基台部１１との間を結ぶ伸縮自在のケーブルによりコネクタ等を介して行われている。
【０００６】
このように構成された分離式手術台では、Ｘ線透視像の撮影時などに被検体の所望の部位が視野内に収まるように可動台１２を水平移動させたり、術式に応じて被検体の体位を調節するために背板部１３を起倒動作させるようになっている。また、被検体の体位によっては、ヘッドレストや足板部のそれぞれの角度を調節する。
【０００７】
この分離式手術台は、テーブルトップ１０を滅菌消毒する目的で、テーブルトップ１０全体をコラム部１から分離して手術室から洗浄室に搬送することが行われる。この搬送は、例えば、図６に示すような搬送車を利用して行われる。この搬送車は、基台２０の上面に立設された支柱２１と、支柱２１の上部に配設された支持部２２と、基台２０の下部に配設された複数個の車輪２３と、基台２０の端部から斜め上方に向けて取り付けられたハンドル２４とから構成されている。このように構成された搬送車によるテーブルトップ１０の搬送は、次のようにして行われている。
【０００８】
まず、コラム部１の支柱３を上方に伸長させ、テーブルトップ１０を上昇させる。そして、テーブルトップ１０の下方に搬送車を移動させ、搬送車の支持部２２が基台部１１の下方に位置するように停止させる。次いで、コラム部１の支柱３を収縮させてテーブルトップ１０を下降させ、テーブルトップ１０の移載ピン１７を搬送車の支持部２２に結合させる。テーブルトップ１０は、このような状態で搬送車に支持され、そのハンドル２４を牽引して洗浄室まで搬送され、搬送車に結合された状態のままで洗浄室内に放置される。そして、洗浄の際には洗浄室は閉塞状態にされ、洗浄液の蒸気、例えば、高圧水蒸気やホルマリン蒸気などを洗浄室内に所定時間だけ供給することによってテーブルトップ１０全体を滅菌処理するようになっている。
【０００９】
【発明が解決しようとする課題】
しかしながら、このような構成を有する従来例の場合には、次のような問題がある。
すなわち、テーブルトップ１０の可動台１１には、水平駆動用モータや起倒動作用の電動シリンダなどの電気部品が内蔵されており、さらに、テーブルトップ１０をコラム部１から分離した状態では、前記電気部品に電力を供給するコネクタが露出した状態となっているので、たとえ洗浄処理の後に充分な乾燥処理を行ったとしても、内部に侵入した洗浄液は乾燥除去されない場合があり、その結果、テーブルトップ１０に内蔵されている電気部品に動作不良が生じたり、絶縁抵抗の低下が生じるといった電気的安全性が低下するという問題点がある。
【００１０】
この発明は、このような事情に鑑みてなされたものであって、テーブルトップに所要の駆動力をコラム部から機械的に伝達することにより、テーブルトップの洗浄を行っても電気的安全性を確保することができる分離式手術台を提供することを目的とする。
【００１１】
【課題を解決するための手段】
この発明は、このような目的を達成するために、次のような構成をとる。
すなわち、この発明に係る分離式手術台は、床面に設置されるコラム部に着脱自在であって、被検体を載置するためのテーブルトップを備えた分離式手術台において、前記コラム部は、駆動手段を備えるとともに、前記テーブルトップは、前記駆動手段の駆動力を２系統に分配する分配機構と、分配された２系統の駆動力のいずれか一方のみを選択的に切り換えて伝達する駆動力選択機構とを内蔵して前記コラム部に着脱可能な基台部と、前記駆動力選択機構からの一方の駆動力により前記基台部に対して水平駆動される可動台と、前記駆動力選択機構からの他方の駆動力により前記可動台の端部にて起倒駆動される起倒部と、を備えたことを特徴とするものである。
【００１２】
【作用】
この発明の作用は次のとおりである。
すなわち、コラム部に内蔵された駆動手段の駆動力は、テーブルトップの基台部に伝達され、基台部の分配機構により２系統の駆動力に分配される。２系統に分配された駆動力は、駆動力選択機構によりいずれか一方のみが選択的に切り換えられて伝達され、その一方の駆動力は可動台を水平駆動し、他方の駆動力は起倒部を起倒駆動する。したがって、テーブルトップに所要の駆動力は、コラム部から分配機構および駆動力選択機構を介して可動台または起倒部に伝達されることになる。すなわち、テーブルトップに所要の駆動力はコラム部の駆動手段から機械的に伝達されることになるので、テーブルトップは電気的な駆動手段を内蔵する必要がない。
【００１３】
【実施例】
以下、図面を参照してこの発明の一実施例を説明する。
図１は実施例に係る分離式手術台の外観を示す図であり、同図（ａ）は平面図であり、同図（ｂ）は側面図である。
【００１４】
図中、符号１は床面に設置されるコラム部であり、その基部２の下部には、コラム部１の設置場所が調整可能なように複数個の車輪が配設されている。これらの車輪は、コラム部１の設置場所が決定された時点でストッパーによって固定されるようになっている。基部２の上部には伸縮自在の支柱３が立設されており、この支柱３の側部には電動モータ４ａを内蔵した結合部４が配設されている。なお、この電動モータ４ａは、この発明における駆動手段に相当する。
【００１５】
被検体を載置するためのテーブルトップ１０は、コラム部１に対して着脱自在に構成されているものである。具体的にはコラム部１の結合部４に着脱自在の基台部１１と、基台部１１に対して水平移動可能に配設された可動台１２と、可動台１２の一端部に接続されて起倒駆動される背板部１３と、背板部１３の先端部に接続されてその起倒角度を手動により調節可能なヘッドレスト１４と、可動台１２の他端部に接続されてその起倒角度を手動によって調節可能な足板部１５とから構成されている。可動台１２と、背板部１３と、ヘッドレスト１４と、足板部１５の各部の上面には、載置される被検体を柔軟に保持するためにマットｍが貼付されている。なお、背板部１３は、この発明における起倒部に相当するものである。
【００１６】
基台部１１は、その両側部に可動台１２を構成する可動腕１２ａを水平駆動可能に支持している。これらの可動腕１２ａの一端部（図１の左側）には、背板部１３の支持腕１３ａが起倒駆動可能に取り付けられている。同様に、背板部１３の支持腕１３ａの先端部には、ヘッドレスト１４の支持腕が取り付けられ、さらに可動腕１２ａの他端部（図１の右側）には、足板部１５の支持腕が取り付けられている。このように可動台１２、背板部１３、ヘッドレスト１４、足板部１５は、Ｘ線透過範囲が広くＸ線透視像の撮影に好適となるように、テーブルトップ１０の長手方向に沿って中央部を避けるようにそれぞれ可動腕や支持腕が設けられている。これらの背板部１３、ヘッドレスト１４、足板部１５は、基台部１１に対して可動台１２が水平駆動されるとともに一体的に水平移動するようになっている。
【００１７】
また、基台部１１の下面には、コラム部１の結合部４に嵌め込まれる接続ピン１６が配設されており、さらに、従来例で説明した搬送車により、テーブルトップ１０を搬送する際に用いられる移載ピン１７が配設されている。
【００１８】
次に、図２ないし図４を参照して、コラム部１の結合部４と、テーブルトップ１０の基台部１１および可動台１２について詳細に説明する。なお、図２は基台部１１および可動台１２の水平断面図であり、図３はその縦断面図であり、図４は結合部４と基台部１１の結合の説明に供する図である。
【００１９】
コラム部１の結合部４は電動モータ４ａを内蔵しており、その回転軸４ｂの上部には基台部１１の伝達軸１１ａの先端部が嵌合するように凹部が形成されている。伝達軸１１ａは、基台部１１の下面に配設された２本の接続ピン１６のうちの一方の中空部を通って基台部１１内に配設されている。伝達軸１１ａにより伝達された電動モータ４ａの駆動力は、その先端部のギヤ１１ｂを介して、振動少なく大きな駆動力を伝達可能な２つのヘリカルギヤ（はすば歯車）１１ｃ１  ，１１ｃ２  に伝達され、電動モータ４ａの駆動力が２系統に分配される。ここでは説明の都合上、ヘリカルギヤ１１ｃ１  に伝達された駆動力を符号Ｄ１  で表し、ヘリカルギヤ１１ｃ２  に伝達された駆動力を符号Ｄ２  で表すことにする（図２を参照）。なお、伝達軸１１ａと、ギヤ１１ｂと、２つのヘリカルギヤ１１ｃ１  ，１１ｃ２  は、この発明における分配機構に相当するものである。また、結合部４の電動モータ４ａの駆動力は、回転軸４ｂを介して直接的に伝達軸１１ａに伝達されるようになっているが、回転軸４ｂからウォーム減速機を介して所定の減速比に変換して伝達するようにしてもよい。
【００２０】
分配された２つの駆動力はＤ１  ，Ｄ２  は、それぞれ切換クラッチ機構１１ｄに伝達される。切換クラッチ機構１１ｄは、リンク機構を介して基台部１１の側方に導出された切換レバー１１ｅによって、第１クラッチ１１ｄ１  または第２クラッチ１１ｄ２  のいずれか一方のみが選択されて作動するように構成されている。すなわち、２系統の駆動力Ｄ１  ，Ｄ２  のうちいずれか一方のみが切換レバー１１ｅによって選択されて伝達されるように構成されている。したがって、切換クラッチ機構１１ｄおよび切換レバー１１ｅは、この発明における駆動力選択機構に相当する。
【００２１】
可動台１２の両可動腕１２ａは、基台部１１の上部の両端部に立設されたスライドベアリング１１ｆを介して水平移動自在に基台部１１の両側に配設されるとともに、連結フレーム１２ａ１  によって端部で連結されている。一方の可動腕１２ａの内側面には、その長手方向に沿ってラック１２ｂが配設されており、このラック１２ｂは第１クラッチ１１ｄ１  が作動した際にウォーム減速機１１ｇを介して駆動されるピニオン１１ｈによって水平駆動される。ラック１２ｂが水平駆動されることにより可動腕１２ａが水平駆動され、可動台１２が基台部１１に対して水平駆動される。なお、上述したように両可動腕１２ａは、連結フレーム１２ａ１  により連結されているので、一方の可動腕１２ａが水平駆動されると他方の可動腕１２ａも一体的に水平駆動される。
【００２２】
可動腕１２ａの長手方向には、スライドベアリング１１ｆに沿ってスプライン軸１２ｃが配設されており、このスプライン軸１２ｃにはスプラインナット１１ｉが緩挿されている。このスプラインナット１１ｉの外周部には、ウォームホイルが形成されおり、第２クラッチ機構１１ｄ２  が作動した際に駆動力Ｄ２  によって駆動されるウォーム１１ｊを介してスプライン軸１２ｃが回転駆動されるようになっている。スプライン軸１２ｃの一端部には、ウォーム１２ｄが取り付けられており、背板部１３の支持腕１３ａの基端部に連結されたウォーム１２ｅを所定の減速比で駆動するようになっている。したがって、切換クラッチ機構１１ｄの第２クラッチ１１ｄ２  を介して伝達される駆動力Ｄ２  によって、背板１３の支持腕１３ａが起倒駆動されることになる。なお、第２クラッチ１１ｄ２  に伝達された駆動力Ｄ２  は、図示しない伝達機構を介して図２中の左側の可動腕１２ａのウォーム１１ｊにも伝達されるように構成されており、背板部１３の両支持腕１３ａを起倒駆動するようになっているので、両支持腕１３ａの基端部を駆動することによるウォーム１２ｄ，ウォームホイル１２ｅにかかる負荷を分散することができる。
【００２３】
このように基台部１１と可動台１２は構成されているため、切換レバー１１ｅにより第１クラッチ１１ｄ１  が作動されている場合は、駆動力Ｄ１  により基台部１１に対して可動台１２が水平駆動され、切換レバー１１ｅにより第２クラッチ１１ｄ２  が作動されている場合は、駆動力Ｄ２  により背板部１３が起倒駆動されることになる。なお、スプラインナット１１ｉはスプライン軸１２ｃに沿って摺動し、各摺動位置においてスプライン軸１２ｃに駆動力Ｄ２  を与えることができるので、可動台１２と基台部１１の位置関係に係わらず背板部１３を起倒駆動することができる。
【００２４】
上述したように、テーブルトップ１０に所要の駆動力である水平駆動力および起倒駆動力は、コラム部１の結合部４に内蔵された電動モータ４ａの駆動力がその基台部１１に内蔵された伝達軸１１ａとギヤ１１ｂ及び２個のヘリカルギヤ１１ｃ１  ，１１ｃ２  を介して伝達されるとともに２系統（駆動力Ｄ１  ，Ｄ２  ）に分配されることによって得られる。これら２系統の駆動力Ｄ１  ，Ｄ２  は、切換クラッチ機構１１ｄを介して選択的に可動台１２の水平駆動力または背板部１３の起倒駆動力とされる。したがって、テーブルトップ１０に所要の駆動力は、コラム部１の電動モータ４ａから機械的に伝達されることにより得られることになり、その結果、テーブルトップ１０は電動モータや電気部品を内蔵する必要がないので、上述したテーブルトップ１０の洗浄によって電気部品に動作不良が生じたり絶縁抵抗の低下が生じるといったことがなく、電気的安全性を確保することができる。
【００２５】
なお、上述した機械的な駆動力の伝達機構や分配機構、駆動力選択機構は、種々の変形実施が可能であり、上述した機構だけに限定されるものではない。
【００２６】
【発明の効果】
以上の説明から明らかなように、この発明によれば、テーブルトップに所要の駆動力は、コラム部の駆動手段から機械的に伝達されることにより得られる。その結果、テーブルトップは電動モータなどの駆動手段およびこれに付加される電気部品を内蔵する必要がないので、テーブルトップの洗浄を行っても電気的安全性を確保することができる。
【図面の簡単な説明】
【図１】実施例に係る分離式手術台の平面図および側面図である。
【図２】基台部および可動台を示す水平断面図である。
【図３】基台部および可動台の縦断面図である。
【図４】テーブルトップの基台部とコラム部の結合部を示す縦断面部である。
【図５】従来例に係る分離式手術台を示す側面図である。
【図６】テーブルトップの搬送の説明に供する図である。
【符号の説明】
１  …  コラム部
１０  …  テーブルトップ
１１  …  基台部
１１ｂ  …  ギヤ
１１ｃ１  ，１１ｃ２    …  ヘリカルギヤ
１１ｄ  …  切換クラッチ機構
１１ｄ１      …  第１クラッチ
１１ｄ２      …  第２クラッチ
１２  …  可動台
１３  …  背板部
１４  …  ヘッドレスト
１５  …  足板部
１６  …  接続ピン
１７  …  移載ピン
【図１】
0003584542.tif 000002
【図２】
0003584542.tif 000003
【図３】
0003584542.tif 000004
【図４】
0003584542.tif 000005
【図５】
0003584542.tif 000006
【図６】
0003584542.tif 000007